(57)【特許請求の範囲】
【請求項１】
イオン化溶液中に含まれる各イオン化成分を生体へ導入するイオン導入用の電気刺激装置であって、
生体に移動可能に接触させるための一対の電極と、
各電極に対して、プラス極性の群発パルス信号とマイナス極性の群発パルス信号とを、略１．５ｓｅｃ毎に極性が反転するように交互に供給するパルス生成回路と、
を備えたことを特徴とするイオン導入用の電気刺激装置。
【請求項２】
前記電極として、イオン化溶液が含浸可能でかつ生体の被導入部に接触するための導入電極と、前記被導入部以外の生体の部位に接触するための対極電極とを備えたこと
を特徴とする請求項１記載のイオン導入用の電気刺激装置。
【請求項３】
前記一対の電極の双方を、イオン化溶液が含浸可能でかつ生体の被導入部に接触するための導入電極を用いて構成すること
を特徴とする請求項１記載のイオン導入用の電気刺激装置。
【請求項４】
前記導入電極として、シリコンゴム及びカーボンを含む導電性部材と、該導電性部材に対向配置され、前記イオン化溶液を含浸させるための吸湿性部材と、を備えた電極を用いること
を特徴とする請求項２又は３記載のイオン導入用の電気刺激装置。
【請求項５】
前記吸湿性部材をコットンとすること
を特徴とする請求項４記載のイオン導入用の電気刺激装置。
【請求項６】
前記パルス生成回路は、前記一対の電極に対して、各群発パルス信号を１００Ｈｚ以上の周波数にて出力すること
を特徴とする請求項１乃至５のいずれか１項に記載のイオン導入用の電気刺激装置。
【請求項７】
前記パルス生成回路は、前記一対の電極に対して、出力電圧５Ｖの群発パルス信号を供給すること
を特徴とする請求項１乃至６のいずれか１項に記載のイオン導入用の電気刺激装置。
【請求項８】
前記パルス生成回路は、前記一対の電極に対して、デューティ比が５０％で、出力周波数が１２００Ｈｚの群発パルス信号を供給すること
を特徴とする請求項１乃至７のいずれか１項に記載のイオン導入用の電気刺激装置。
【請求項９】
イオン化溶液中に含まれる各イオン化成分を生体へ導入するイオン導入用の電子美容器であって、
把持可能な筐体部の主面に設けられ、生体に接触させるための一対の電極と、
前記一対の電極に対して、プラス極性の群発パルス信号とマイナス極性の群発パルス信号とを交互に供給するパルス生成回路と、を備え、
前記電極は、イオン化溶液が含浸可能でかつ生体の被導入部に移動可能に接触するための導入電極と、前記被導入部以外の生体の部位に接触するための対極電極とを有し、前記導入電極と前記対極電極とが前記筐体部における相互に反対側の主面に設けられ、
前記パルス生成回路は、略１．５ｓｅｃ毎に極性が反転する群発パルス信号を出力すること
を特徴とするイオン導入用の電子美容器。
【請求項１０】
前記パルス生成回路は、前記一対の電極に対して、各群発パルス信号を１００Ｈｚ以上の周波数にて出力すること
を特徴とする請求項９記載のイオン導入用の電子美容器。
【請求項１１】
前記導入電極は、シリコンゴム及びカーボンを含む導電性部材と、該導電性部材に対向配置され、前記イオン化溶液を含浸させるための吸湿性部材と、を備えること
を特徴とする請求項９又は１０記載のイオン導入用の電子美容器。
【請求項１２】
前記吸湿性部材がコットンであること
を特徴とする請求項１１記載のイオン導入用の電子美容器。
【請求項１３】
前記パルス生成回路は、デューティ比が５０％で、出力周波数が１２００Ｈｚの群発パルス信号を出力すること
を特徴とする請求項９乃至１２のいずれか１項に記載のイオン導入用の電子美容器。
【請求項１４】
前記パルス生成回路は、出力電圧５Ｖの群発パルス信号を出力すること
を特徴とする請求項９乃至１３のいずれか１項に記載のイオン導入用の電子美容器。
【請求項１５】
前記パルス生成回路は、前記筐体部の内部に配置されたこと
を特徴とする請求項９乃至１４のいずれか１項に記載のイオン導入用の電子美容器。
【請求項１６】
前記筐体部には、前記パルス生成回路を駆動するボタン型の電源電池を交換可能に収納する電池収納部が設けられたことを特徴とする請求項１５記載のイオン導入用の電子美容器。
【請求項１７】
前記筐体部における前記対極電極の近傍には、前記パルス生成回路のオンオフを切り換えるための電源スイッチが設けられたこと
を特徴とする請求項９乃至１６のいずれか１項に記載のイオン導入用の電子美容器。
【発明の詳細な説明】
【０００１】
【発明の属する技術分野】
本発明は、イオン導入用の電気刺激装置及び電子美容器に関し、詳しくは、美容目的に好適に使用され、プラス（＋）イオン化する成分とマイナス（−）イオン化する成分が混在した化粧液や美容液等のイオン化溶液中の各イオン化成分を、短い時間で効率良く生体の広い範囲に導入することを可能としたイオン導入用の電気刺激装置及び電子美容器に関する。
【０００２】
【従来の技術】
従来より、生体治療器や美容器等の電気刺激装置においては、薬液や美容液等中に含まれる有効成分を皮膚から生体内に導入するために、一対の電極を生体に接触させて各電極への通電を行いながら、イオン化された薬液や美容液等の有効成分（イオン化成分）を生体内に導入する方法（イオン導入法）が用いられてきた。
【０００３】
具体的には、例えば一方の電極をイオン化成分を導入させたい生体の所定部位（被導入部）に接触させる導入電極として、他方の電極を生体の被導入部以外の部位に接触させる対極電極としてそれぞれ使用し、例えば頬や手足などの被導入部にイオン化溶液を塗布した導入電極を接触させ、対極電極を他の部位に接触させた状態で両電極への通電を行うことによって、導入電極から生体内へイオン化成分の導入を図るものであった。
【０００４】
ここで、イオン化成分を導入するために各電極へ供給する電流としては、従来より直流電流が多く用いられてきたが、図９に示す生体の等価回路から分かるように、生体は容量（コンデンサ）を備えた負荷回路としての性質を有しているため、生体に直流電流を通電した場合には生体に対する通電効率が悪く、電流量を補うために通電時の電圧値が高くなること等により、種々の不都合が生じるという問題があった。
【０００５】
すなわち、直流電流により無理に生体に電流を流そうとすると、電圧値を数十ボルトといったレベルに上げる必要があり、この結果、通電時に痛みを感じたり、電極への接触部位に皮膚炎が生じやすくなり、最悪の場合には火傷や粘膜の破壊等の虞もあった。
【０００６】
このような状況から、イオン化溶液中の有効成分（イオン化成分）を生体に導入するための通電法としては、生体内への電流が流れやすいパルス信号を用いて行うことが提案され、電気刺激装置の製品としても、パルス信号を出力するパルス発生回路と、生体に接触しパルス発生回路からのパルス信号を生体に通電するための導入電極と対極電極とを有し、導入電極側のイオン化溶液にパルス信号を印加することにより、イオン化溶液中の有効成分を生体中に浸透させるようにした製品が提供されている。
【０００７】
このような電気刺激装置では、パルス発生回路からプラス又はマイナスのいずれか単極性のパルス信号が出力される構成とされ、イオン化溶液については、プラス又はマイナスのいずれかにイオン化される有効成分を含むものが使用されていた。
【０００８】
すなわち、従来の電気刺激装置では、使用するイオン化溶液がプラスにイオン化される有効成分（以下、プラスイオン化成分という。）を含む場合には、導入電極にプラス極性のパルス電圧を印加し、逆に、使用するイオン化溶液がマイナスにイオン化される有効成分（以下、マイナスイオン化成分という。）を含む場合には導入電極にマイナス極性のパルス電圧を印加することにより、それぞれ極性が同じことから生じる反発効果を利用して、各イオン化成分を生体内に移動、導入させていた。
【０００９】
このため、従来の電気刺激装置では、いずれの極性のイオン化溶液を使用する場合にも対応できるようにするために、パルス発生回路から発生されるパルス信号のプラスマイナスの極性を切り替えるための極性切替スイッチ等を設けて、使用するイオン化溶液のイオン化極性が変わる度に、当該スイッチをユーザが切替操作することにより、導入電極に印加されるパルス電圧の極性を切り替える必要があった。
【００１０】
【発明が解決しようとする課題】
しかしながら、実際には、使用されるイオン化溶液の中には、プラスイオン化成分とマイナスイオン化成分との両方を含むものがあることや、１回の生体治療にプラスイオン化成分の薬物とマイナスイオン化成分の薬物を併用投与する場合があることから、単極性のパルス信号が出力される従来の通電法及び電気刺激装置では、イオン化溶液中のプラスイオン化成分又はマイナスイオン化成分のどちらか一方のみが生体内に導入され、一度に両方を導入させることができない、という問題点があった。
【００１１】
したがって、このようなケースで従来の電気刺激装置を使用する場合には、例えば１回の使用目的に対して手順を２段階に分け、プラスイオン化成分又はマイナスイオン化成分を別々の手順により浸透させる必要が生じることになり、時間や手間が大幅に増え、イオン化溶液の使用量が増える、等の無駄が発生し、さらには極性切替スイッチの設定を間違える虞もあることや、導入電極を、一対の電極のどちらか一方に限定して使用しなければならないことから、非常に不便な状況であった。
【００１２】
一般に、生体に導入される各イオン化成分の量は生体に通電する電流量に比例することから、単なる正弦波や交流矩形波を生体に通電させたのでは、生体に対する各イオン化成分の移動時間が短くなること、すなわち、一方のイオン化成分についての十分な移動時間が得られないうちに通電の極性が反転してしまうことから、各イオン化成分の生体に対する有効な導入量が得られないという問題があった。
【００１３】
これに対して、各イオン化成分の移動時間を長くするために、正弦波や交流矩形波における周波数を低くすることも考えられるが、この場合には、図９に示した生体の等価回路の特性により、生体に通電する電流量が著しく小さくなってしまい、やはり有効な導入量が得られないという問題があった。また、正弦波や交流矩形波の電圧値を上げて生体に通電すると、上述した直流電流の場合と同様の不具合が発生し、通電時に痛みを感じたり皮膚炎等が生じやすくなる等の問題が起きることになる。
【００１４】
これらのことから、生体に対して各イオン化成分を導入するための好適な通電法については、試行錯誤での研究が行われていた。
【００１５】
このような状況下において、本発明者は、種々の検証実験を行った結果、イオン化溶液中のプラスイオン化成分とマイナスイオン化成分の両方を短い時間で生体の広い範囲に浸透させることができ、美容目的に好適なイオン導入法（イオン導入通電）を案出し、かかるイオン導入通電を用いた電気刺激装置及び電子美容器を完成させた。
【００１６】
本発明の目的は、美容目的に好適に使用され、プラスイオン化成分とマイナスイオン化成分が混在したイオン化溶液中の各イオン化成分を、短い時間で効率良く生体の広い範囲に導入することを可能としたイオン導入用の電気刺激装置及び電子美容器を提供することにある。
【００１８】
【課題を解決するための手段】
本発明に係る電気刺激装置の主たる構成は、イオン化溶液中に含まれる各イオン化成分を生体へ導入するイオン導入用の電気刺激装置であって、生体に移動可能に接触させるための一対の電極と、各電極に対して、プラス極性の群発パルス信号とマイナス極性の群発パルス信号とを、略１．５ｓｅｃ毎に極性が反転するように交互に供給するパルス生成回路と、を備えたことを特徴とする。
【００１９】
本発明に係る電子美容器の主たる構成は、イオン化溶液中に含まれる各イオン化成分を生体へ導入するイオン導入用の電子美容器であって、把持可能な筐体部の主面に設けられ、生体に接触させるための一対の電極と、前記一対の電極に対して、プラス極性の群発パルス信号とマイナス極性の群発パルス信号とを交互に供給するパルス生成回路と、を備え、前記電極は、イオン化溶液が含浸可能でかつ生体の被導入部に移動可能に接触するための導入電極と、前記被導入部以外の生体の部位に接触するための対極電極とを有し、前記導入電極と前記対極電極とが前記筐体部における相互に反対側の主面に設けられ、前記パルス生成回路は、略１．５ｓｅｃ毎に極性が反転する群発パルス信号を出力することを特徴とする。
【００２０】
【発明の実施の形態】
本発明の実施の形態を、図面を参照しながら詳細に説明する。
【００２１】
図１は、本発明の実施の形態を説明するための図であり、図１（ａ）に本発明の要部となるパルス生成回路の一例を示すブロック回路図を、図１（ｂ）にパルス生成回路の主要部における出力のタイミングチャートを、それぞれ示している。
【００２２】
図１（ａ）に示すように、実施の形態のパルス生成回路は、パルス信号を出力するパルス出力回路２と、パルス出力回路２より出力されたパルス信号の極性を切り替えるための極性切替回路３と、パルス出力回路２及び極性切替回路３を制御するＣＰＵ１と、ＣＰＵ１にクロック信号を供給するクロック発振器４と、これら各回路に電源を供給する電源回路５とを有している。
【００２３】
このパルス生成回路では、クロック発振器４で励起されるクロック信号に基づいてＣＰＵ１が駆動され、クロック信号に基づく所定周波数のパルスがＣＰＵ１からパルス出力回路２に出力される。
【００２４】
パルス出力回路２は、ＣＰＵ１からのパルスを所定の出力レベル（出力電圧値）に調整して極性切替回路３に出力する。パルス出力回路２から出力されるパルス信号は、図１（ｂ）の〔Ａ〕に示すように、単極性（この実施の形態ではプラス）の矩形パルス波となっている。
【００２５】
極性切替回路３は、不図示のブリッジ回路を有して構成され、ＣＰＵ１からの制御信号に基づいて、パルス出力回路２からの単極性のパルス信号を、ブリッジ回路によってプラス極性の複数のパルス信号（以下、群発パルス信号と言う。）とマイナス極性の群発パルス信号とに切り替えて交互に出力する。極性切替回路３から出力される各群発パルス信号は、生体に接触する一対の電極に出力される。
【００２６】
ここで、各電極の使用態様としては、一方の電極を、イオン化溶液が含浸可能でかつ生体の被導入部に接触するための導入電極として使用し、他方の電極を生体の被導入部以外の部位に接触する対極電極として使用する。
【００２７】
また、各電極の他の使用態様としては、双方の電極を、イオン化溶液が含浸可能でかつ生体の被導入部に接触するための導入電極として使用することも可能である。
【００２８】
極性切替回路３に供給される制御信号としては、プラス極性のパルス信号を出力するタイミングを指示するＢ信号（図１（ｂ）の〔Ｂ〕）と、マイナス極性のパルス信号を出力するタイミングを指示するＣ信号（図１（ｂ）の〔Ｃ〕）が、それぞれＣＰＵ１から出力される。
【００２９】
そして、極性切替回路３は、図１（ｂ）の〔Ｂ〕及び〔Ｄ〕に示すように、ＣＰＵ１から供給されるＢ信号がオンの間は、パルス出力回路２の出力したパルス信号の極性を維持して出力し続けることにより、プラス極性の群発パルス信号を出力する。また、極性切替回路３は、図１（ｂ）の〔Ｃ〕及び〔Ｄ〕に示すように、ＣＰＵ１から供給されるＣ信号がオンの間は、パルス出力回路２の出力したパルス信号の極性を反転して出力し続けることにより、マイナス極性の群発パルス信号を出力する。
【００３０】
詳細には、ＣＰＵ１は、Ｂ信号及びＣ信号として、図１（ｂ）の〔Ｂ〕及び〔Ｃ〕に示すように、矩形波によるオンオフ信号を出力しており、いずれかの信号がオン（立ち上がり状態）のときには他方の信号がオフ（立ち下がり状態）になるように出力する。
【００３１】
また、図１（ｂ）の〔Ａ〕と比較して分かるように、ＣＰＵ１は、Ｂ信号及びＣ信号のオンの期間（矩形波の立ち上がり時から立ち下がり時までの期間）が、パルス出力回路２から出力されるパルス信号の周期よりも長くなるように、Ｂ信号及びＣ信号を出力するようになっており、これにより極性切替回路３からはプラス及びマイナス極性のパルス信号がそれぞれ群発パルス信号として生成される。
【００３２】
次に、上述した群発パルス信号の両極性交互通電を生体に対して行った場合の電流特性について説明する。
【００３３】
（第１の検証実験）
本発明者は、上述した群発パルス信号の両極性交互通電を生体に対して行った場合と、直流信号の両極性交互通電を生体に対して行った場合とで、それぞれの生体に流れる電流特性（電流波形）を測定し、その差異について検証した。以下、この測定実験の方法及び測定結果等について、図２及び図３を参照して説明する。
【００３４】
ここで、図２には群発パルス信号の両極性交互通電時の出力波形を、図３には直流信号の両極性交互通電時の出力波形を示しており、各図の（ａ）には無負荷時の電圧波形(出力原波形)を、各図の（ｂ）には生体を負荷として通電したときの電流波形の測定結果を示している。
【００３５】
この測定では、いずれの場合も無負荷時における出力電圧を±４Ｖとし、１．５Ｓｅｃ毎に極性を反転するように設定した。また、人間の掌を出力負荷として、左右の掌に1つずつ電極を装着して通電し、測定を行った。出力されるパルス信号については、デューティ比が５０％で、出力周波数が１２００Ｈｚになるように設定した。
【００３６】
なお、群発パルス信号の両極性交互通電における図２（ｂ）に示す生体負荷時の電流波形では、図２（ａ）の出力原波形にはない極性の方向にも電流が流れる結果となったが、これは分極現象の現れであり、生体のもつ容量成分（図９参照）により引き起こされたものである。
【００３７】
図２（ｂ）と図３（ｂ）とを比較して分かるように、生体を負荷として通電した場合には、明らかに群発パルス信号を用いた両極性交互通電の方が、直流を用いた両極性交互通電よりも、電流波形の大きさ（面積）が大きい結果となった。
【００３８】
この電流波形の大きさの違いは、そのまま生体に流れる電流量の差となるため、同じ出力電圧の場合であっても、群発パルス信号を用いた両極性交互通電の方が、イオン化溶液の導入時においてより効率良く各イオン化成分を生体に導入することが可能となる。
【００３９】
従って、本実施形態の群発パルス信号を用いた両極性交互通電によれば、通電時に両電極に印加する電圧値を低くすることが可能となり、これにより通電時において痛み等の刺激の発生を避け、さらには消費電力の低減を図ることも可能となる。
【００４０】
また、本実施形態の群発パルス信号を用いた両極性交互通電によれば、従来のようにどちらか一方を導入電極にしなければならないという制限がなくなり、両電極を導入電極として使用することも可能となる。
【００４１】
（第２の検証実験）
さらに、本発明者は、上述した群発パルス信号の両極性交互通電時におけるプラスイオン化成分とマイナスイオン化成分が混在したイオン化溶液の生体への導入効果を確認するための検証実験を行った。以下、この第２の検証実験の方法及び結果等について、図４乃至図６を参照して説明する。
【００４２】
この検証実験では、実験動物としてラットを用い、ラットに導入するイオン化溶液として、ＤＨＢＡ（プラスイオン化薬物）とビタミンＣ水溶液（マイナスイオン化薬物）との混合溶液（以下、薬液という。）を使用し、上述した群発パルス信号の両極性交互通電を行って、ラットの背部皮内へのプラスイオン化薬物及びマイナスイオン化薬物のそれぞれの経皮浸透量（皮内濃度）の変動について、図４に示すインビボ微小透析法による分析システムを用いて測定した。
【００４３】
この測定を行うために、図５に示すように、チューブ２１をラットの背部皮内に貫通させ、チューブ２１の所定箇所に設けられた透析膜２０が背部皮内の真皮に埋め込まれた状態にして、チューブ２１内に灌流液を流し込みながら、ラットの背部皮内を通過した灌流液の成分を５分毎に抽出することで、ラットの真皮の各イオン化薬物の濃度の変化について測定した。
【００４４】
すなわち、ラットの真皮における各イオン化薬物の濃度が変わることで、透析膜２０を通過した灌流液の成分も変化するため、透析膜２０を通過した灌流液の成分の変化についての測定を行った。
【００４５】
測定手順としては、まず、薬液を塗布せず通電も行わない無処理時の状態での測定を行い、続いて、ラットの背部に薬液を塗布して、通電を行わない状態での測定を行い、さらに、この薬液塗布状態において、上述の群発パルス信号の両極性交互通電を行い、背部皮内のプラスイオン化薬物及びマイナスイオン化薬物のそれぞれの濃度の変動について連続して測定を行った。
【００４６】
また、各測定に先立って、生理食塩水を含有させた図５に示すパッド２６及び対極電極２４をラットの腹部に接触させておき、この状態で無処理時の状態での測定を行った。続いて、上述の薬液を含有させたパッド２５及び導入電極２３をラットの背部に接触させ、通電しない状態で薬液塗布時の測定を行い、さらに、この両電極２３，２４に群発パルス信号の両極性交互通電を行うことにより、各測定を連続して行った。
【００４７】
なお、各測定にあたっては、チューブ２１とラットの背部表皮との境目に予め生体ボンド２２を充填することで、パッド２５に含有した薬液が当該境目から背部皮内に入らないように配慮した。
【００４８】
群発パルス信号の両極性交互通電時の出力パラメータとしては、出力周波数を１２００Ｈｚ、出力電圧を±５Ｖとし、かつ、１．５Ｓｅｃ毎に極性が反転するように設定した。
【００４９】
この検証実験における測定結果を図６に示す。図６では、縦軸に経皮吸収濃度の測定値、横軸に経過時間（１目盛りが５分）を示している。また、この検証実験では３匹のラットに対して上述した実験を繰り返し行い、図６では当該３回の実験における平均値を示している。
【００５０】
図６から明らかなように、この検証実験によれば、無処理の場合及び薬液塗布の場合は、各イオン化薬物の濃度について、測定値の変化はほとんど見られなかった。なお、無処理時においてもマイナスイオン化薬物が検出されたのは、そのイオン化成分（ビタミンＣ成分）がもともとラットの体内で産生されていることによる。
【００５１】
これに対して、群発パルス信号の両極性交互通電時には、マイナスイオン化薬物の濃度及びプラスイオン化薬物の濃度のいずれも、通電時間に比例して測定値が上がるという結果が得られた。この結果から、群発パルス信号を用いた両極性交互通電を行うことにより、薬液（イオン化溶液）中の各イオン化薬物が効果的に生体内に導入されることが検証された。
（電気刺激装置の一例）
次に、本発明における群発パルス信号による両極性交互通電を行うイオン導入用の電気刺激装置（電子美容器）の一例について、図７及び図８を参照して説明する。図７に示す電気刺激装置（電子美容器）１０では、図１で上述したパルス生成回路が合成樹脂等の絶縁部材からなる筐体部１１の内部に格納され、パルス生成回路における極性切替回路３からの出力信号が、筐体部１１の一方の主面に設けられた導入電極１２と、筐体部１１の他方の主面に設けられた対極電極１３とに供給されるようになっている。また、筐体部１１における対極電極１３の近傍には、図１の電源回路５の一部を構成し主電源のオンオフを切り替えるための電源オンスイッチ５ａと電源オフスイッチ５ｂとが設けられる。
【００５２】
なお、電気刺激装置１０では、電源として、ボタン型電池（この実施の形態では２個のＣＲ２０３２による直流６ボルト電源）が使用され、筐体部１１の下端側に開閉可能に設けられた電池収納部１１ａを開けることで、電池交換ができるようになっている。
【００５３】
導入電極１２は、例えばシリコンゴム及びカーボン等からなる不図示の導電性部材に対して、各種イオン化成分が含まれたイオン化溶液としての化粧液（以下、イオン化化粧液という。）を含浸させるためのコットン等の吸湿性部材１２ａが対向配置されている。
【００５４】
この電気刺激装置（電子美容器）１０の使用に際しては、導入電極１２の吸湿性部材１２ａに、使用するイオン化化粧液を含浸させた後に、図８に示すように、イオン化化粧液を浸透（導入）させたい顔の頬等の所定部位に吸湿性部材１２ａを接触させ、かつ、筐体部１１を手で持って対極電極１３が指等に接触した状態において電源オンスイッチ５ａを押圧することにより動作が開始する。動作開始後は、パルス生成回路から導入電極１２及び対極電極１３に対して、プラス極性の群発パルス信号とマイナス極性の群発パルス信号が例えば１．５ｓｅｃ毎に交互に供給されることによって、導入電極１２の吸湿性部材１２ａ中のイオン化化粧液のプラスイオン化成分とマイナスイオン化成分とが交互に効率良く生体内に導入される。
【００５５】
このように、実施の形態の電気刺激装置１０では、生体に接触する導入電極１２及び対極電極１３に対して、プラス極性の群発パルス信号とマイナス極性の群発パルス信号とを交互に供給する構成となっているので、プラスイオン化成分とマイナスイオン化成分が混在したイオン化化粧液中の各イオン化成分を、効率良く生体内に導入することが可能となり、さらには、使用するイオン化化粧液のイオン極性に関わりなく、各イオン化成分を生体へ導入することが可能となる。
【００５６】
また、電気刺激装置１０では、パルス発生回路から発生されるパルス信号の極性を切り替えるための極性切替スイッチ等を設ける必要がなくなり、使用するイオン化化粧液のイオン化極性を意識する必要もなくなるので、ユーザの操作が極めて容易になり、極性切替スイッチの誤設定等の虞もなくなる。
【００５７】
さらに、電気刺激装置１０では、各電極１２，１３に印加される電圧が±数ボルト程度の比較的低い場合であっても、各イオン化成分を効率良く生体内に導入することが可能であるため、通電中の生体への刺激が少なくなり、顔等の敏感な箇所にも安心して使用でき、さらには消費電力が抑えられることから、電源電池の長寿命化、小型化、ひいては筐体部１１の小型化や装置全体の軽量化等を図ることができる。
【００５８】
上述した電気刺激装置１０は、生体に接触する一対の電極１２，１３について、導入電極と対極電極とから構成されるものであったが、これに限定されず、上述のように、一対の電極の双方を導入電極とする構成のものであっても良い。
【００５９】
なお、各電極に供給される群発パルス信号の周波数については、１００Ｈｚより低い周波数とすると通電時における生体への刺激が強くなり、顔等の敏感な箇所に対して安心して使用できなくなるため、１００Ｈｚ以上の周波数とするのが好ましい。
【００６０】
また、群発パルス信号における極性反転までの期間や極性反転までに生成されるパルスの本数については、各イオン化成分が生体内に移動するのに十分な期間や本数が確保されていれば、特に限定されないが、本実施の形態のように極性反転までの期間を１．５秒とすることにより、３秒でイオン化溶液中のプラスイオン化成分とマイナスイオン化成分の双方が生体内に導入されることになるので、導入電極を顔等の部位に接触させて、３秒毎に接触部位（導入電極）を移動させながら使用することが可能となり、比較的短い時間であってもプラスイオン化成分とマイナスイオン化成分の双方を生体の広い面積に亘って導入することができ、美容目的に好適に使用できる。
【００６１】
【発明の効果】
以上説明したように、本発明によれば、美容目的に好適に使用され、プラスイオン化成分とマイナスイオン化成分が混在したイオン化溶液中の各イオン化成分を、短い時間で率良く生体の広い範囲に導入することを可能としたイオン導入用の電気刺激装置及び電子美容器を提供することが可能となる。
【図面の簡単な説明】
【図１】本発明の実施の形態を説明する図であり、（ａ）にパルス生成回路の一例を示すブロック回路図を、（ｂ）にパルス生成回路の主要部における出力のタイミングチャートを、それぞれ示す。
【図２】第１の検証実験において、群発パルス信号の両極性交互通電時の出力波形を測定した図であり、（ａ）には無負荷時の電圧波形(出力原波形)の測定結果を、（ｂ）には生体を負荷として通電したときの電流波形の測定結果を、それぞれ示す。
【図３】第１の検証実験において、直流信号の両極性交互通電時の出力波形を測定した図であり、（ａ）には無負荷時の電圧波形(出力原波形)の測定結果を、（ｂ）には生体を負荷として通電したときの電流波形の測定結果を、それぞれ示す。
【図４】第２の検証実験を説明するための図であり、群発パルス信号の両極性交互通電時におけるイオン化溶液の生体への導入効果を確認するための検証実験において用いられたインビボ微小透析法による分析システムの全体概要を示す図である。
【図５】第２の検証実験における透析膜の埋め込み位置や各電極の取り付け位置等を説明するための、ラットの背部及び腹部の断面図である。
【図６】第２の検証実験の実験結果を示す図であり、群発パルス信号の両極性交互通電時におけるプラスイオン化薬物及びマイナスイオン化薬物の経皮吸収量を示すグラフである。
【図７】本発明のイオン導入用の電気刺激装置の一例を説明する図であり、図１のパルス生成回路が内蔵された電子美容器の外観斜視図である。
【図８】図７の電気刺激装置（電子美容器）の使用時の状態を示す図である。
【図９】生体に対する通電時の特性を説明するための生体の等価回路である。
【符号の説明】
１  ＣＰＵ
２  パルス出力回路
３  極性切替回路
４  クロック発振器
５  電源回路５
５ａ  電源オンスイッチ
５ｂ  電源オフスイッチ
１０  電気刺激装置（電子美容器）
１１  筐体部
１１ａ  電池収納部
１２  導入電極
１２ａ  吸湿性部材
１３  対極電極
２０  透析膜
２１  チューブ
２２  生体ボンド
２３  導入電極
２４  対極電極
２５，２６  パッド
【図１】
0003665632.tif 000002
【図２】
0003665632.tif 000003
【図３】
0003665632.tif 000004
【図４】
0003665632.tif 000005
【図５】
0003665632.tif 000006
【図６】
0003665632.tif 000007
【図７】
0003665632.tif 000008
【図８】
0003665632.tif 000009
【図９】
0003665632.tif 000010